(57)【特許請求の範囲】
【請求項１】
本体内にテープ巻出し回転部とテープ巻取り回転部が回転可能に収納され、前記テープが転写へッドを経由して被転写面に転写される塗膜と残りのテープ基材とに分かれ、前記テープ基材が前記テープ巻出し回転部からテープ巻取り回転部に巻き取られるようになっており、前記転写へッドが回転可能である塗膜転写具において、
前記テープの幅方向位置を規制するテープガイドが前記本体に設けられていることを特徴とする、
塗膜転写具。
【請求項２】
前記転写へッドの押圧転写部の幅が前記テープガイドの転写リボン位置規制幅より大きく、且つ、前記押圧転写部が前記テープガイドより突出している、請求項１の塗膜転写具。
【請求項３】
前記テープガイドが前記本体に着脱可能に取付けられている、請求項１又は２の塗膜転写具。
【請求項４】
前記テープガイドが透明である、請求項１乃至３のいずれかの塗膜転写具。
【発明の詳細な説明】
【０００１】
【発明の属する技術分野】
本発明は、転写テープ基材の表面にコーティングされた修正用塗膜、接着用粘着剤、装飾用塗膜等を被転写面に転写するための塗膜転写具の技術分野に属する。
【０００２】
【従来の技術】
従来の塗膜転写具として、実開平７−１３８６０号公報に開示されるものがある。
このものは、基本的に、図５に示される構造であり、この塗膜転写具５０においては、転写ヘッド５４は、本体（カセット）５２内部に回転可能に取付けられた回転シャフト６０によって回転可能になっている。
転写ヘッド５４の先端部に形成された幅方向に細長い押圧転写部６２は、転写ヘッド５４の端部から僅かに外部に突出している。
本体５２内部には、テープ巻出し回転部５１及びテープ巻取り回転部５３が、それぞれ回転可能に取付けられている。
表面に塗膜がコーティングされた転写テープＴが、塗膜を外側にしてテープ巻出し回転部５１に巻かれており、転写へッド５４外部に突出する押圧転写部６２を経て、被転写面に転写される塗膜と残りのテープ基材とに分かれ、テープ基材のみがテープ巻出し回転部５１からテープ巻取り回転部５３に巻き取られるようになっている。
【０００３】
図６は、図５の塗膜転写具５０において転写テープＴの図示を省略した要部拡大斜視図である。
転写ヘッド５４には、押圧転写部６２の幅方向の両側面に三角形板状のテープガイド５６が形成されている。
従って、回転シャフト６０の回転にともなってこのテープガイド５６も本体５２に対して回転する。
図示しない転写テープＴが転写へッド５４から押圧転写部６２にかけて移動して被転写面に塗膜を転写し、残りのテープ基材が転写ヘッド５４から本体５２内部に戻るまでの間、転写テープＴは三角形板状のテープガイド５６によって幅方向に位置規制されて案内される。
【０００４】
この塗膜転写具５０の使用に際しては、本体５２を手で把持し、押圧転写部６２を被転写面の所望の位置に圧着させながら、図５の矢印で示した作動方向へ移動させると、それにともなってテープ巻出し回転部５１及びテープ巻取り回転部５３が回転し、テープ巻出し回転部５１から転写テープＴが引出されて被転写面の方向に移動し、押圧転写部６２によって転写テープＴ表面の塗膜が被転写面に転写され、残ったテープ基材は、テープ巻取り回転部５３に巻き取られる。
【０００５】
回転シャフト６０の先端部に形成された押圧転写部６２は、本体５２に対して回転可能に取付けられているので、押圧転写部６２の先端部に案内される転写テープＴも押圧転写部６２の回転に追従してひねられる。
従って、この塗膜転写具５０は、塗膜を被転写面に転写する際に、本体５２が被転写面に対して傾いても、ヘッド５４が回転し、追従して転写テープＴも回転して転写テープＴの幅方向全域が均等に被転写面に密着するので、塗膜を所定の箇所に正確に完全に転写することができる。
【０００６】
【発明が解決しようとする課題】
図７は、図６を７−７線から見た図であり、図７（ａ）は転写ヘッド５４が回転していない状態、図７（ｂ）は転写へッド５４が回転した状態を、それぞれ示す。
図７（ｂ）に示されるように、このような塗膜転写具５０は、本体５２が被転写面に対して傾き、それに追従して転写へッド５４が回転すると、転写へッド５４に形成されたテープガイド５６も回転し、テープガイド５６が転写テープＴに接触することによって転写テープＴの走行が妨げられ、転写テープＴの塗膜がテープ基材から剥がれたり、押圧転写部６２から外れたりして、良好に転写することが難かしいという問題がある。
さらには、回転したテープガイド５６が転写テープＴに強く接触して転写テープＴに無理な力が働き、転写テープＴが切断されてしまうこともある。
【０００７】
【課題を解決するための手段】
本発明は、本体内にテープ巻出し回転部とテープ巻取り回転部が回転可能に収納され、前記テープが転写へッドを経由して被転写面に転写される塗膜と残りのテープ基材とに分かれ、前記テープ基材が前記テープ巻出し回転部からテープ巻取り回転部に巻き取られるようになっており、前記転写へッドが回転可能である塗膜転写具において、前記テープの幅方向位置を規制するテープガイドが前記本体に設けられている塗膜転写具によって、前記の課題を解決した。
【０００８】
【作用】
本発明において、テープガイドは本体側に設けられているので、本体に対して回転することがない。従って、テープガイド転写テープの走行方向に対して常に固定された位置関係において、テープの幅方向の位置規制を行ない、転写テープの走行を妨げることがない。
【０００９】
【発明の実施の形態】
本発明の第１の実施形態による塗膜転写具１０の、転写テープＴの図示を省略した要部斜視拡大図を図１に示す。
この塗膜転写具１０に使用される転写テープＴの構成、転写テープＴを塗膜転写具１０に回転可能に取付ける構造、及び塗膜を被転写面に転写する方法は、従来のものと同様であるので、説明を省略する。
【００１０】
この塗膜転写具１０は、本体１２と、本体１２に回転可能に取付けられた回転シャフト２０と一体になっているＴ字状の転写へッド１４を有する。
本体１２には、転写ヘッド１４の幅方向の両側を覆うように延びる三角形板状のテープガイド１６が一体に形成され、転写へッド１４の先端に形成された転写テープＴの幅方向に細長い押圧転写部２２は、テープガイド１６から僅かに突出している。転写ヘッド１４は全体として、アルファベットのＴの文字の形状をしている。
使用中に、本体１２が被転写面に対して傾いた場合でも、押圧転写部２２の幅方向全域が被転写面に常に均等に密着するように、回転シャフト２０は回転することができる。
【００１１】
図２は、図１を２−２線から見た図を示し、図２（ａ）は回転シャフト２０が回転していない状態であり、図２（ｂ）は回転シャフト２０が回転し、それに追従して転写へッド１４及び押圧転写部２２が本体１２に対して回転している状態である。
回転シャフト２０の回転によって、転写へッド１４及び押圧転写部２２が本体１２に対して回転しても、テープガイド１６は転写テープＴの幅方向の両側に、常に転写テープＴに対して直角となるように位置しているので、テープガイド１６が転写テープＴに強く接触することがない（図２（ｂ）参照）。
【００１２】
なお、押圧転写部２２の幅は、テープガイド１６の規制幅より大きくなっているので、押圧転写時に、押圧転写部２２が被転写面に対して回転しやすく、転写ヘッド１４の軸部とテープガイド１６との隙間に転写テープが噛み込まれにくいという特徴がある。
【００１３】
次に、図３に、本発明の第２実施形態の塗膜転写具３０の、転写テープＴの図示を省略した要部拡大斜視図を示す。
この塗膜転写具３０においても、使用される転写テープＴの構成、転写テープＴを塗膜転写具３０に回転可能に取付ける構造及び、塗膜を被転写面に転写する方法は、従来のものと同様であるので、説明を省略する。
【００１４】
この塗膜転写具３０は、本体３２と、本体３２に回転可能に取付けられた回転シャフト２０と一体になっている転写へッド１４を有する。
本体３２の端部には断面がかたかなのロ字状のテープガイド部３６が一体形成され、テープガイド部３６から外部に向かって、アルファベットのＴの文字の形状で、転写ヘッド１４及び押圧転写部２２が突出している。
使用中に、本体３２が被転写面に対して傾いた場合でも、押圧転写部２２の幅方向全域が被転写面に常に均等に密着するように、回転シャフト２０は回転することができる。
【００１５】
この塗膜転写具３０においても、第１実施形態の塗膜転写部１０と同様に、回転シャフト２０の回転によって、転写へッド１４及び押圧転写部２２が本体３２に対して回転しても、テープガイド部３６は転写テープＴの両側に、常に転写テープＴに対して直角となるように位置しているので、テープガイド部３６が転写テープＴに強く接触することがない。
【００１６】
次に、図４に、本発明の第３実施形態の塗膜転写具４０の、転写テープＴの図示を省略した要部拡大斜視図を示す。
この塗膜転写具４０においても、使用される転写テープＴの構成、転写テープＴを塗膜転写具４０に回転可能に取付ける構造及び、塗膜を被転写面に転写する方法は、従来のものと同様であるので、説明を省略する。
【００１７】
この塗膜転写具４０は、本体４２と、本体４２に回転可能に取付けられた回転シャフト２０と一体になっている転写へッド１４を有する。
本体４２の端部には、テープガイド４６が、着脱可能に取付けられている。
このテープガイド４６は、両側面に三角形板状のガイド部４６１，４６１を具え、これらのガイド部４６１，４６１は、所定の幅で根元の部分と一体構造になっている。この幅は、ガイド部４６１，４６１の板厚や形状によって変化させることができ、使用する転写テープＴのテープ幅に応じて決定される。
【００１８】
本体４２の端部に取付けられたテープガイド４６から、アルファベットのＴの文字の形状で、外部に向かって転写ヘッド１４が延び、転写へッド１４の先端に形成された転写テープＴの幅方向に細長い押圧転写部２２がテープガイド４６から僅かに突出している。
この塗膜転写具４０も、使用中に、本体４２が被転写面に対して傾いた場合でも、押圧転写部２２の幅方向全域が被転写面に常に均等に密着するように、回転シャフト２０は回転することができる。
【００１９】
この場合も、回転シャフト２０の回転によって、転写へッド１４及び押圧転写部２２が本体４２に対して回転しても、テープガイド４６のガイド部４６１，４６１は転写テープＴの両側に、転写テープＴの幅方向に対して常に直角となるように位置しているので、テープガイド部４６１が転写テープＴに強く接触することがない。
また、この実施形態の塗膜転写具４０では、使用する転写テープＴの幅に対応したものを用い、他の部品は転写テープＴの幅によらず、共通のものを使用して製造することができる。
【００２０】
以上の実施形態において、転写ヘッドを回転可能にする方式としては、自由回転のみならず、ばね弾性等によって、基準位置に戻る力を与えるようにしてもよい。
なお、回転角は、±４５°とするのが好適である。
【００２１】
さらに、テープガイドを透明にしておくと、それを透過して押圧転写部が見えるので、転写終了位置の確認に役立つ。
また、押圧転写部の位置を回転シャフトの軸線から被転写面方向にずらせた構成にすると、本体やテープガイドと被転写面との間の空隙が大きくなり、転写終了位置が確認しやすくなる。
【００２２】
【発明の効果】
本発明によれば、テープガイドが本体側に具えられ、転写ヘッドが回転してもテープガイドは回転しないようになっているので、転写テープにテープガイドが強く接触して転写テープの走行が妨げられることがなく、常時、転写テープの良好な転写をすることができるという効果を奏する。
【図面の簡単な説明】
【図１】  本発明の塗膜転写具の第１実施形態の要部拡大斜視図。
【図２】  図１の２−２線から見た図で、図２（ａ）は回転シャフトが回転していない状態、図２（ｂ）は回転シャフトが回転している状態を示す。
【図３】  本発明の塗膜転写具の第２実施形態の要部拡大斜視図。
【図４】  本発明の塗膜転写具の第３実施形態の要部拡大斜視図。
【図５】  従来の塗膜転写具の縦断面図。
【図６】  図５の要部拡大斜視図。
【図７】  図６の７−７線から見た図で、図７（ａ）は転写ヘッドが回転していない状態、図７（ｂ）は転写へッドが回転している状態をそれぞれ示す。
【符号の説明】
塗膜転写具：１０，３０，４０
本体：１２，３２，４２
転写ヘッド：１４
回転シャフト：２０
押圧転写部：２２
テープガイド：１６，４６
テープガイド部：３６
【図１】
0003834388.tif 000002
【図２】
0003834388.tif 000003
【図３】
0003834388.tif 000004
【図４】
0003834388.tif 000005
【図５】
0003834388.tif 000006
【図６】
0003834388.tif 000007
【図７】
0003834388.tif 000008